(57)【要約】【課題】ゴミ容器、オムツバケツ、便器等における収容器の蓋を開放する際に、収容器内から悪臭が外部に発散するのを確実に防止するためのスプレー噴霧装置付き悪臭発生物収容器を提供することである。【解決手段】スプレー式噴霧装置付き悪臭発生物収容器は、蓋３を有するゴミ収容器１に薬剤を充填したスプレー噴霧器が内装されたスプレー式噴霧装置４が設けられ、前記スプレー噴霧器はゴミ収容器１の内部に通じる状態の噴霧ノズル部で支持されてなり、ゴミ収容器１の蓋３を開放する前に前記スプレー噴霧器に充填した薬剤をゴミ収容器１の内部に散布することにより、ゴミ収容器１の内部の収納悪臭発生物５からの臭気を処理することを特徴とする。【選択図】図１
2005112557.tif 000002
【特許請求の範囲】
【請求項１】
悪臭発生物収納用の蓋付き収容器に薬剤を充填したスプレー噴霧器が内装されたスプレー式噴霧装置が設けられ、前記スプレー噴霧器は前記収容器内に通じる状態の噴霧ノズル部で支持されてなり、前記収容器の蓋を開放する前に前記スプレー噴霧器に充填した薬剤を前記収容器内に散布することにより、前記収容器内の収納悪臭発生物からの臭気を処理することを特徴とするスプレー式噴霧装置付き悪臭発生物収容器。
【請求項２】
前記スプレー式噴霧装置が前記蓋の壁部に設けられてなる請求項１に記載されたスプレー式噴霧装置付き悪臭発生物収容器。
【請求項３】
前記スプレー式噴霧装置における前記スプレー噴霧器に充填保持される薬剤が、脱臭剤、消臭剤、除菌剤、抗菌剤、芳香剤から選択される１種又は２種以上である請求項１又は２に記載されたスプレー式噴霧装置付き悪臭発生物収容器。
【請求項４】
前記スプレー式噴霧装置におけるスプレー噴霧器に充填保護する薬剤が泡状の形態で散布される請求項１、２又は３に記載されたスプレー式噴霧装置付き悪臭発生物収容器。
【発明の詳細な説明】
【技術分野】
【０００１】
本発明は、ゴミ容器、オムツバケツ、便器等に収納した悪臭発生物の発生臭気をスプレー式噴霧装置から薬剤を予め散布することにより処理するためのスプレー式噴霧装置付き収容器に関するものである。
【背景技術】
【０００２】
ゴミ容器、オムツバケツ等では、その収納した悪臭発生物を収納している場合には、収容器内に甚だしい臭気が発生する。このため、この臭気が悪臭として収容器の外部に発散してしまうのを防止するために、従来は、収容器にはその内部を密閉するための蓋が付設されているのが一般的である。このような事情は、簡易あるいは常設の便器等についても同様である。
【０００３】
悪臭発生物の収容器に蓋が設けられていても、その収容器内に収容する悪臭発生物からの臭気は収容器内に滞留するので、この滞留している臭気が収容器の蓋を開放する際に、多量の臭気が漏れ出て外部に発散してしまうため、蓋の開放時に、スプレー噴霧器により消臭剤等を散布等することにより処理し、収容器内の悪臭が外部への悪臭の発散するを防止している。また、収容器自体に悪臭発生物質の臭気による悪臭の発散を処理する機能を有するものは現存しない。
【発明の開示】
【発明が解決しようとする課題】
【０００４】
しかしながら、上記した従来の方法では、スプレー噴霧器による消臭剤等の薬剤散布の操作が収容器の蓋の開放した後に行われることになるので、蓋を開放する際に予め収容器内に溜まった臭気が必然的に外部へ発散してしまう。このため、収容器内からの臭気の発散は避けられない。
【０００５】
そこで、本発明は、ゴミ容器、オムツバケツ、便器等における蓋付き収容器における蓋を開放する際に、収容器内から悪臭が外部に発散するのを確実に防止できるスプレー式噴霧装置付き悪臭発生物収容器を提供することを目的とした。
【課題を解決するための手段】
【０００６】
上記の目的を達成するため、本発明のスプレー式噴霧装置付き悪臭発生物収容器は、悪臭発生物収納用の蓋付き収容器に薬剤を充填したスプレー噴霧器が内装されたスプレー式噴霧装置が設けられ、前記スプレー噴霧器は前記収容器内に通じる状態の噴霧ノズル部で支持されてなり、前記収容器の蓋を開放する前に前記スプレー噴霧器に充填した薬剤を前記収容器内に散布することにより、前記収容器内の収納悪臭発生物からの臭気を処理することを特徴とする。
【０００７】
上記した本発明のスプレー装置付き悪臭発生物収容器において、収容器に設けられたスプレー式噴霧装置はスプレー噴霧器の噴霧ノズルが前記収容器内に通じる状態で前記収容器に支持されているから、収容器の蓋を開放する前の時点で、スプレー噴霧器に充填した薬剤を収容器内へ散布することにより、収容器内に収納した悪臭発生物から発生する臭気を噴霧した薬剤により消臭等の処理を行うことができる。また、前記薬剤が抗菌剤、除菌剤である場合、悪臭発生物の収納直後にスプレー噴霧器の薬剤を散布することにより、悪臭発生物に付着した汚物の腐敗進行を抑制できる。これにより、悪臭発生部物における汚物が腐敗することによる臭気の発生自体を抑制することが可能となる。
【０００８】
本発明は、前記スプレー式噴霧装置が収容器の蓋に設けられてなる構成であってもよい。前記スプレー式噴霧装置が前記蓋に設けられることによって、前記スプレー式噴霧装置に内装するスプレー噴霧器に充填した薬剤を前記収容器内に散布することが可能である。
【０００９】
本発明は、前記スプレー式噴霧装置におけるスプレー噴霧器に充填保持される薬剤が、消臭剤、脱臭剤、除菌剤、抗菌剤、芳香剤から選択される１種又は２種以上である構成を含む。これにより、スプレー噴霧器に充填保持する薬剤の種類に応じて、消臭、脱臭、除菌、抗菌又は／及び芳香の処理を行うことが可能となる。
【００１０】
前記スプレー噴霧器に充填した薬剤が噴霧状態で散布される場合であってもよいが、本発明には、スプレー噴霧器に充填した薬剤が泡状の形態で散布される場合を含む。
【００１１】
スプレー式噴霧装置に充填された薬剤が霧状の形態で散布される場合、その散布された薬剤が収容器内に発生した臭気に混合されることにより、悪臭発生物からの臭気に対し消臭等の処理を行うことができる。この混合による処理は、化学的処理のほか、混合処理による物理的処理が含まれる。また、薬剤が泡状の形態で散布される場合には、散布された泡状の薬剤が悪臭発生物の表面に直接付着するため、悪臭発生物からの臭気をその薬剤の種類に応じて物理的な処理ができると共に、悪臭発生物質からの臭気の発生を持続的に抑制することが可能となる。
【発明の効果】
【００１２】
上述したように本発明の悪臭発生物収容器は構成されるので、次のような効果が発揮される。本発明の悪臭発生物収容器では、収容器にスプレー噴霧器が内装されているので、蓋部を開放する前の時点に前記スプレー噴霧器に充填保持する薬剤の散布を行うことが可能である。この薬剤の散布操作により、蓋部を開放前の時点で収容器内に溜まった臭気に対する処理を確実に行うことができる。これにより、収容器内に溜まった臭気が外部に漏れ出るのを回避することができる。
【００１３】
本発明におけるスプレー噴霧器に充填された薬剤が、消臭剤、脱臭剤、除菌剤、抗菌剤、芳香剤から選択される１種又は２種以上であると、収容器内に発生する悪臭の種類に応じてその薬剤の性能に応じ消臭、脱臭、除菌、抗菌等の処理を行うことが可能である。またスプレー噴霧器の噴霧機能に応じて、適宜悪臭の発散を効果的に防止することが可能となる。特に、前記薬剤が抗菌剤、除菌剤である場合、悪臭発生物を収納した直後に散布することにより、悪臭発生物に付着した汚物の腐敗進行を抑制することができる。
【００１４】
また、スプレー噴霧器に充填した薬剤が泡状の形態で散布される場合には、各種の収容器に対し薬剤による化学的又は物理的作用を長時間にわたり持続的に発揮させることもできる。
【発明を実施するための最良の形態】
【００１５】
発明を実施するための最良の形態を図に基づいて説明する。
【００１６】
図１には、ゴミ収容器１の形態を示す。ゴミ収容器１は、収容器本体２と、収容器本体２の開放部を閉止できる蓋３とからなる。これらは、いずれもプラスチック材等によって収容器本体２の内部を密閉するように形成できる。蓋３にはその壁部にスプレー式噴霧装置４が設けられている。５は、収容器本体２の内部に収納されたゴミ類である。
【００１７】
スプレー式噴霧装置４は、図２に示すように、その内部にスプレー噴霧器６が内装されている。すなわち、蓋３の壁部に孔３ａが形成されていて、この孔３ａにスリーブ７が嵌入される。スリーブ７はそのフランジ７ａの部分で蓋３の壁部に係止固定されている。またスプレー噴霧器６のノズル部６ｂにはアダプター８が嵌装されており、このアダプター８を介してスプレー容器６がスリーブ７の底壁に支持されている。
【００１８】
スリーブ７の底壁には孔７ｂが設けられており、またアダプター８はその軸部に沿って貫通孔８ａが形成されている。孔７ｂと貫通孔８ａとは連通し、この連通孔を介してスプレー噴霧器６の噴霧ノズル６ｂは収容器本体２の内部と通じている。従って、スプレー噴霧器６に充填した薬剤は、そのノズル部６ｂから孔７ｂ及び貫通孔８ａを介して収容器本体２の内部に散布される。
【００１９】
スプレー噴霧器６の本体６ａは、その底部６ｃが収容器本体２の上部位置に配され、さらに底部６ｃの外周部はゴム等の柔軟質材９で被覆されて、収容器１と一体化されている。柔軟質材９の柔軟性に応じて本体６ａの全体を下方に押圧移動させることができる。スプレー噴霧器本体６ａが下方へ押圧移動されると、スプレー噴霧器本体６ａに充填した薬剤がその噴出機能に基づいて噴霧ノズル部６ｂから散布される。９ａは柔軟質材９のフランジ部分であって、このフランジ部分９ａで柔軟質材９が蓋３の壁面に固定されている。
【００２０】
上記した実施の形態は、収容器本体２の壁部にスリーブ７が後付けされた構成であるが、図３に示すように、予め収容器本体２の壁部にスリーブ部分７０を一体的に設けられた構成であってもよい。この構成による場合、スリーブ部分７０の底壁に形成された孔７０ａにアダプター８を挿入状とし、前記同様に柔軟質材９を下方へ押圧移動する操作により、スプレー噴霧器本体６ａに充填した薬剤を収容器本体２の内部に散布することができる。  前記スプレー噴霧器６には、その必要に応じて消臭剤、脱臭剤、除菌剤、抗菌剤、芳香剤から選択される１種又は２種以上を充填しておくことができ、充填した薬剤の種類に対応してその薬効を収容器１に収納した悪臭発生物からの臭気を処理することができる。
【００２１】
上記した各実施の形態では、スプレー噴霧器本体６ａに充填した薬剤は、スプレー噴霧器本体６ａを下方へ押圧移動させる際に、スプレー噴霧器６の噴霧機能に基づいて手動的に散布できるほか、タイマー等を利用して一定時間毎に自動的に行わせることにより、収容器１における蓋３の開放操作と連動して、収容器１の蓋３の開放前に薬剤の散布を行わせることが可能である。ここに前記した蓋３の開放前には、悪臭発生物を収容器本体２に収納した直後である場合を含む。特に薬剤が抗菌剤や除菌剤である場合、悪臭発生物を収容器１に収納した直後に薬剤を散布することにより、悪臭発生物に付着した汚物の腐敗進行を抑制し、腐敗に基づく悪臭による臭気発生自体を抑制することが可能となる。
【００２２】
上記した実施の形態は、ゴミ収容器１に関するものであるが、ゴミ収容器１と同類のオムツバケツ等の収容器や、便器等各種の悪臭発生物収容器についても同様に構成することができる。また、収容器としては、横断面形状が円形状であるほか、矩形状等の多様な形状のものをそのまま利用することができる。
【実施例】
【００２３】
本発明のスプレー式噴霧装置付き悪臭発生物収容器１の内部に悪臭発生物を収納し、収容器１における蓋３の開放時にモニター２０人（男女各１０名）による悪臭感応テストを行った。なお、スプレー装置を装備しない従来の収容器による場合を比較例とした。
【００２４】
悪臭発生物収容器の収容器本体：内径２５〜２８ｃｍφ×高さ３５ｃｍで円筒形状で＜約２０リットル容量
悪臭発生物：排便乃至小便が付着したオムツ約１５０ｇ×５ケ＝約７５０ｇ
スプレー式噴霧装置：消臭剤を充填したスプレー噴霧器を内装し、その噴霧ノズル部を押圧移動することにより薬剤を２ｍｌ／秒の量を噴霧状に散布できる。
【００２５】
悪臭感応テスト方法は、プラスチック製の収容器本体内に悪臭発生物として使用後のオムツを堆積状に収納して、この収容器本体に付属する蓋３により収容器本体２の上部開放部を閉じ、３時間経過後蓋を開く直前にスプレー噴霧器から消臭剤を１秒間散布してから蓋３を開放した。その結果、異臭は感じられない場合を○、少し異臭が感じる場合を△、異臭が感じる場合を×とし、異臭の程度に対応するモニター者の人数を表１に示した。また、表１には、悪臭の感知しない人数が１５名以上の場合Ａ、悪臭を感知したモニター人数がいないときであって、悪臭を感知しないモニター人数が１０名以上である場合Ｂ、及び悪臭を感知したモニター人数がいるときＣ、悪臭を感知するモニター人数が１０名以上の場合Ｄを評価基準として、本発明の収容器による場合と従来の収容器による場合とを総合評価した。
【００２６】
【表１】
2005112557.tif 000003
表１に示した総合評価の結果から、従来の収容器による場合、モニターの全員が異臭を感知する場合Ｄであると対比して、本発明の悪臭発生物収容器によれば、収容器内での臭気を処理し、モニターのほぼ全員が異臭を感知しないＡの程度にまで効果的に収容器内の悪臭に対し処理できることが判る。
【００２７】
特にスプレー噴霧器に充填した薬剤が抗菌剤又は除菌剤である場合、薬剤噴霧を悪臭発生物としてのオムツを収容器１に収納した直後に行ったときも、上記表１の結果と同一であった。即ち、オムツの投入直後に薬剤を散布することにより、オムツに付着した汚物の腐敗を抑制し、これにより汚物からの臭気の発生自体が抑制された。
【図面の簡単な説明】
【００２８】
【図１】本発明に係る最良の実施の形態におけるスプレー式噴霧装置付き悪臭発生物収容器の縦断正面図である。
【図２】本発明に係る最良の実施の形態におけるスプレー式噴霧装置付き悪臭発生物収容器におけるスプレー噴霧器の構成形態を説明する縦断正面図である。
【図３】本発明に係る最良の実施の形態におけるスプレー式噴霧装置付き悪臭発生物収容器におけるスプレー噴霧器の他の構成形態を説明する縦断正面図である。
【符号の説明】
【００２９】
１  ゴミ収容器
２  収容器本体
３  蓋
３ａ  孔
４  スプレー式噴霧装置
５  悪臭発生物
６  スプレー噴霧器
６ａ  本体
６ｂ  ノズル部
６ｃ  底部
７  スリーブ
７ａ  フランジ
７ｂ  孔
８  アダプター
８ａ  貫通孔
９  柔軟質材
９ａ  フランジ
７０  スリーブ部
【図１】
2005112557.tif 000004
【図２】
2005112557.tif 000005
【図３】
2005112557.tif 000006